(57)【要約】  【課題】  シェーディング補正に用いられる白基準に対する汚れの付着や傷つけを抑制すると共に、原稿の画像を読み取る場合と同じ条件下でシェーディングデータを取得できるようにする。  【解決手段】  搬送経路を搬送される原稿の画像を読み取るＣＩＳ５０に対向して半月ロール６１を配設する。半月ロール６１の外周には、円弧状の外周面６１ａが形成されると共に一部領域には白基準部材６３が取り付けられる。そして、原稿を読み取る場合には半月ロール６１を揺動させて搬送経路に外周面６１ａを露出させ、シェーディングデータを取得する場合には半月ロール６１を揺動させて搬送経路に白基準部材６３を露出させる。このとき、白基準部材６３の白基準面６３ａと原稿の光軸方向読み取り位置Ｒとが一致するように、白基準部材６３を構成しておく。  【選択図】  図９
2005167846.tif 000002
【特許請求の範囲】
【請求項１】
原稿が搬送される搬送経路と、
前記搬送経路を搬送される原稿の画像を読み取る読み取り部と、
前記搬送経路を介して前記読み取り部に対向する部位に設けられる白基準部材と、
前記読み取り部により前記原稿の画像を読み取る場合には当該読み取り部による原稿の読み取り位置から前記白基準部材を待避させ、且つ、当該読み取り部によりシェーディングデータを取得する場合には当該原稿の光軸方向読み取り位置に当該白基準部材を進出させる駆動部と
を有する画像読み取り装置。
【請求項２】
前記読み取り部による前記原稿の読み取り位置は、当該読み取り部に設けられたレンズの焦点位置であることを特徴とする請求項１記載の画像読み取り装置。
【請求項３】
前記読み取り部は、ＣＩＳ(Contact Image Sensor)センサを有していることを特徴とする請求項１記載の画像読み取り装置。
【請求項４】
前記読み取り部は、ＬＥＤ(Light Emitting Diode)を多数並べて構成した光源を有していることを特徴とする請求項１記載の画像読み取り装置。
【請求項５】
前記読み取り部は、原稿から離間した状態で当該原稿の画像を読み取ることを特徴とする請求項１記載の画像読み取り装置。
【請求項６】
原稿が湾曲して搬送される搬送経路と、
湾曲される原稿の内側から当該原稿上の画像を読み取る読み取り部と、
湾曲される原稿の外側にて当該原稿が突き当てられながら案内される案内部材と、
前記案内部材の原稿搬送方向下流側であって、前記読み取り部による読み取り位置と当該読み取り位置から待避する待避位置との間を移動可能に配設される白基準面と
を有する画像読み取り装置。
【請求項７】
前記読み取り部による前記原稿の読み取り位置は、前記搬送経路を搬送される原稿の面が通過する位置であることを特徴とする請求項６記載の画像読み取り装置。
【請求項８】
前記白基準面の前記待避位置は、当該白基準面が前記搬送経路に露出しない位置であることを特徴とする請求項６記載の画像読み取り装置。
【請求項９】
前記読み取り部は、原稿の画像をカラー画像として読み取り可能であることを特徴とする請求項６記載の画像読み取り装置。
【請求項１０】
前記白基準面を清掃する清掃部材をさらに備えることを特徴とする請求項６記載の画像読み取り装置。
【請求項１１】
原稿が搬送される搬送経路と、
前記搬送経路を搬送される原稿の画像を読み取る読み取り部と、
前記搬送経路を介して前記読み取り部と対向する部位に揺動可能に配設され、円弧状の外周面を有する揺動部材と、
前記揺動部材の外周面上に形成され、前記読み取り部による原稿の読み取り位置と対向する位置において、当該原稿の読み取り位置と高さが一致する白基準面を有する白基準部材と
を有する画像読み取り装置。
【請求項１２】
前記読み取り部による前記原稿の読み取り位置は、前記揺動部材の外周面における頭頂位置よりも原稿搬送方向下流側であることを特徴とする請求項１１記載の画像読み取り装置。
【請求項１３】
前記読み取り部による前記原稿の読み取り位置では、当該原稿の読み取り位置と前記揺動部材の外周面との間に所定のギャップが形成されることを特徴とする請求項１１記載の画像読み取り装置。
【請求項１４】
前記揺動部材の揺動軸は、前記読み取り部による前記原稿の読み取り位置を通る光軸の延長線よりも原稿の搬送方向上流側に配置されることを特徴とする請求項１１記載の画像読み取り装置。
【請求項１５】
原稿が湾曲して搬送される搬送経路と、
前記搬送経路の湾曲部外側から当該原稿の第１面を読み取る第１の読み取り部と、
前記搬送経路の湾曲部内側から当該原稿の第２面を読み取る第２の読み取り部と、
前記第２の読み取り部に対向して原稿の湾曲部外側に配設される案内部材と、
前記案内部材の原稿搬送方向下流側で、前記読み取り部により前記原稿の画像を読み取る場合には当該読み取り部による原稿の読み取り位置から待避せしめられ、且つ、当該読み取り部によりシェーディングデータを取得する場合には当該原稿の読み取り位置に進出せしめられる白基準部材と
を有する画像読み取り装置。
【請求項１６】
前記第１の読み取り部は、縮小光学系を介して原稿の反射光を読み取る第１のイメージセンサを有し、
前記第２の読み取り部は、原稿の反射光を前記第１のイメージセンサよりも近接した位置から読み取る第２のイメージセンサを有することを特徴とする請求項１５記載の画像読み取り装置。
【発明の詳細な説明】
【技術分野】
【０００１】
本発明は、原稿上の画像を読み取る画像読み取り装置に係り、より詳しくは、シェーディング補正を行うための白基準を有する画像読み取り装置に関する。
【背景技術】
【０００２】
従来、複写機やファクシミリ等の読み取り装置、コンピュータ入力用のスキャナ等として、原稿の画像情報を自動的に読み取る画像読み取り装置が用いられている。この種の画像読み取り装置では、原稿の搬送経路に直交する方向に延設される光源を用いて原稿に光を照射し、照射された原稿から反射した反射光をイメージセンサにて受光することで、原稿上の画像を読み取っている。
このような画像読み取り装置では、原稿の搬送経路に直交する方向の位置によって光源から照射される光量にばらつきがあったり、また、経時的に光源の光量が変動したりするといった事態が生じ得る。このような光量のばらつきや変動が生じると、例えばハーフトーンの画像が一様に形成された原稿を読み取った場合に、出力される画像信号が光源の光量に応じたばらつきを有する不均一なものとなってしまう。
【０００３】
そこで、原稿の搬送経路に直交する方向に延びる白色の部材(白基準部)を光源の光照射方向に対向配置すると共に、この白基準部に対して光源から光を照射し、白基準部から反射した反射光をイメージセンサにて受光し、原稿の搬送方向に直交する方向の照度分布に対応する補正用データ(シェーディングデータ)を予め取得しておく手法が広く用いられている(特許文献１参照。)。そして、実際の原稿読み取り動作時には、原稿を読み取って得られた画像データを、シェーディングデータを用いて補正(シェーディング補正)することで、光源の光量分布に起因するむらを除去している。
【０００４】
【特許文献１】特開２００１−３１３７９４号公報(第３-４頁、図３)
【発明の開示】
【発明が解決しようとする課題】
【０００５】
ところで、このような画像読み取り装置では、搬送される原稿が白基準部に接触することから、例えばトナーやボールペンのインクなど原稿の汚れが、白基準部に付着しやすくなってしまう。また、搬送される原稿が白基準部を擦ることから、白基準部に傷がつきやすくなってしまう。このようにして白基準部に汚れが付着したり傷がついたりすると、原稿の搬送経路に直交する方向に対して白基準部のむらが存在することとなるため、この白基準部を読み取って得られたシェーディングデータを用いて補正を行ったとしても、得られる画像データにむらが生じてしまう。
かかる問題に対し、上記特許文献１に記載の技術では、白基準部を回転可能なロール部材の表面に形成し、シェーディング補正の実行時にはロール部材を回転して原稿の搬送経路に白基準部を露出させ、原稿の読み取り時(搬送時)にはロール部材を回転して原稿の搬送経路に白基準部以外のガイド面を露出させるようにしている。
【０００６】
しかしながら、上記特許文献１に記載の技術では、イメージセンサからみて原稿の読み取り位置よりも白基準部がより遠い位置にあり、しかも、イメージセンサと白基準部との距離がイメージセンサの焦点深度距離に設定されているため、原稿を読み取って得られる画像がぼやけてしまうという問題があった。
【０００７】
また、上記特許文献１では、イメージセンサが装着された読み取り部に原稿を押し付けながら読み取りを行うようになっており、読み取り部自身に原稿の汚れが付着したり、傷がついたりしやすいことから、読み取られる画像データに筋などの画像欠陥が生じやすいという問題もある。
【０００８】
本発明は、かかる技術的課題を解決するためになされたものであって、その目的とするところは、シェーディング補正に用いられる白基準に対する汚れの付着や傷つけを抑制すると共に、原稿の画像を読み取る場合と同じ条件下でシェーディングデータを取得できるようにすることにある。
また他の目的は、読み取られる画像のぼやけを抑制することにある。
さらに他の目的は、読み取られる画像における裏写りを抑制することにある。
【課題を解決するための手段】
【０００９】
かかる目的のもと、本発明が適用される画像読み取り装置は、原稿が搬送される搬送経路と、搬送経路を搬送される原稿の画像を読み取る読み取り部と、搬送経路を介して読み取り部に対向する部位に設けられる白基準部材と、読み取り部により原稿の画像を読み取る場合には読み取り部による原稿の読み取り位置から白基準部材を待避させ、且つ、読み取り部によりシェーディングデータを取得する場合には原稿の光軸方向読み取り位置に白基準部材を進出させる駆動部とを有している。
【００１０】
ここで、読み取り部による原稿の読み取り位置は、読み取り部に設けられたレンズの焦点位置であることを特徴とすることができる。また、読み取り部は、ＣＩＳ(Contact Image Sensor)センサを有していることを特徴とすることができる。さらに、読み取り部は、ＬＥＤ(Light Emitting Diode)を多数並べて構成した光源を有していることを特徴とすることができる。そして、読み取り部は、原稿から離間した状態で原稿の画像を読み取ることを特徴とすることができる。
【００１１】
また、他の観点から捉えると、本発明が適用される画像読み取り装置は、原稿が湾曲して搬送される搬送経路と、湾曲される原稿の内側から原稿上の画像を読み取る読み取り部と、湾曲される原稿の外側にて原稿が突き当てられながら案内される案内部材と、案内部材の原稿搬送方向下流側であって、読み取り部による読み取り位置と読み取り位置から待避する待避位置との間を移動可能に配設される白基準面とを有している。
【００１２】
ここで、読み取り部による原稿の読み取り位置は、搬送経路を搬送される原稿の面が通過する位置であることを特徴とすることができる。また、白基準面の待避位置は、白基準面が搬送経路に露出しない位置であることを特徴とすることができる。さらに、読み取り部は、原稿の画像をカラー画像として読み取り可能であることを特徴とすることができる。そして、白基準面を清掃する清掃部材をさらに備えることを特徴とすることができる。
【００１３】
さらに他の観点から捉えると、本発明が適用される画像読み取り装置は、原稿が搬送される搬送経路と、搬送経路を搬送される原稿の画像を読み取る読み取り部と、搬送経路を介して読み取り部と対向する部位に揺動可能に配設され、円弧状の外周面を有する揺動部材と、揺動部材の外周面上に形成され、読み取り部による原稿の読み取り位置と対向する位置において、原稿の読み取り位置と高さが一致する白基準面を有する白基準部材とを有している。
【００１４】
ここで、読み取り部による原稿の読み取り位置は、揺動部材の外周面における頭頂位置よりも原稿搬送方向下流側であることを特徴とすることができる。また、読み取り部による原稿の読み取り位置では、原稿の読み取り位置と揺動部材の外周面との間に所定のギャップが形成されることを特徴とすることができる。さらに、揺動部材の揺動軸は、読み取り部による原稿の読み取り位置を通る光軸の延長線よりも原稿の搬送方向上流側に配置されることを特徴とすることができる。
【００１５】
さらにまた他の観点から捉えると、本発明が適用される画像読み取り装置は、原稿が湾曲して搬送される搬送経路と、搬送経路の湾曲部外側から原稿の第１面を読み取る第１の読み取り部と、搬送経路の湾曲部内側から原稿の第２面を読み取る第２の読み取り部と、第２の読み取り部に対向して原稿の湾曲部外側に配設される案内部材と、案内部材の原稿搬送方向下流側で、読み取り部により原稿の画像を読み取る場合には読み取り部による原稿の読み取り位置から待避せしめられ、且つ、読み取り部によりシェーディングデータを取得する場合には原稿の読み取り位置に進出せしめられる白基準部材とを有している。
【００１６】
ここで、第１の読み取り部は、縮小光学系を介して原稿の反射光を読み取る第１のイメージセンサを有し、第２の読み取り部は、原稿の反射光を第１のイメージセンサよりも近接した位置から読み取る第２のイメージセンサを有することを特徴とすることができる。
【発明の効果】
【００１７】
本発明によれば、シェーディング補正に用いられる白基準に対する汚れの付着や傷つけを抑制すると共に、原稿の画像を読み取る場合と同じ条件下でシェーディングデータを取得することができる。
【発明を実施するための最良の形態】
【００１８】
以下、添付図面を参照して、本発明を実施するための最良の形態(以下、実施の形態という)について詳細に説明する。
―実施の形態１―
図１は本実施の形態が適用される画像読み取り装置を示した図である。この画像読み取り装置は、大きく、積載された原稿束から原稿を順次、搬送する原稿送り装置１０、スキャンによって画像を読み込むスキャナ装置７０、および、読み込まれた画像信号を処理する処理装置８０に大別される。
【００１９】
原稿送り装置１０は、複数枚の原稿からなる原稿束を積載する原稿トレイ１１、原稿トレイ１１を上昇および下降させるトレイリフタ１２を備えている。また、トレイリフタ１２により上昇された原稿トレイ１１の原稿を搬送するナジャーロール１３、ナジャーロール１３により搬送された原稿を更に下流側まで搬送するフィードロール１４、ナジャーロール１３により供給される原稿を１枚づつ捌くリタードロール１５を備えている。最初に原稿が搬送される第１搬送路３１には、一枚づつに捌かれた原稿を下流側のロールまで搬送するテイクアウェイロール１６、原稿を更に下流側のロールまで搬送すると共にループ作成を行うプレレジロール１７、一旦、停止した後にタイミングを合わせて回転を再開し、原稿読み取り部に対してレジストレーション調整を施しながら原稿を供給するレジロール１８、読み込み中の原稿搬送をアシストするプラテンロール１９、読み込まれた原稿を更に下流に搬送するアウトロール２０を備えている。また、第１搬送路３１には、搬送される原稿のループ状態に応じて支点を中心として回動するバッフル４１を備えている。更に、プラテンロール１９とアウトロール２０との間には、本実施の形態における読み取り部(第２の読み取り部)である、ＣＩＳ(Contact Image Sensor)５０を備えている。
【００２０】
アウトロール２０の下流側には、第２搬送路３２および第３搬送路３３が設けられ、これらの搬送路を切り替える搬送路切替ゲート４２、読み込みが終了した原稿を積載させる排出トレイ４０、排出トレイ４０に対して原稿を排出させる第１排出ロール２１を備えている。また、第３搬送路３３を経由した原稿に対してスイッチバックさせる第４搬送路３４、第４搬送路３４に設けられ、実際に原稿のスイッチバックを行うインバータロール２２およびインバータピンチロール２３、第４搬送路３４によってスイッチバックされた原稿を再度、プレレジロール１７等を備える第１搬送路３１に導く第５搬送路３５、第４搬送路３４によってスイッチバックされた原稿を排出トレイ４０に排出する第６搬送路３６、第６搬送路３６に設けられ、反転排出される原稿を第１排出ロール２１まで搬送する第２排出ロール２４、第５搬送路３５および第６搬送路３６の搬送経路を切り替える出口切替ゲート４３を備えている。
【００２１】
ナジャーロール１３は、待機時にはリフトアップされて退避位置に保持され、原稿搬送時にニップ位置(原稿搬送位置)へ降下して原稿トレイ１１上の最上位の原稿を搬送する。ナジャーロール１３およびフィードロール１４は、フィードクラッチ(図示せず)の連結によって原稿の搬送を行う。プレレジロール１７は、停止しているレジロール１８に原稿先端を突き当ててループを作成する。レジロール１８では、ループ作成時に、レジロール１８に噛み込んだ原稿先端をニップ位置まで戻している。このループが形成されると、バッフル４１は支点を中心として開き、原稿のループを妨げることのないように機能している。また、テイクアウェイロール１６およびプレレジロール１７は、読み込み中におけるループを保持している。このループ形成によって、読み込みタイミングの調整が図られ、また、読み込み時における原稿搬送に伴うスキューを抑制して、位置合わせの調整機能を高めることができる。読み込みの開始タイミングに合わせて、停止されていたレジロール１８が回転を開始し、プラテンロール１９によって、第２プラテンガラス７２Ｂ(後述)に押圧されて、下面方向から画像データが読み込まれる。
【００２２】
搬送路切替ゲート４２は、片面原稿の読み取り終了時、および両面原稿の両面同時読み取りの終了時に、アウトロール２０を経由した原稿を第２搬送路３２に導き、排出トレイ４０に排出するように切り替えられる。一方、この搬送路切替ゲート４２は、両面原稿の順次読み取り時には、原稿を反転させるために、第３搬送路３３に原稿を導くように切り替えられる。インバータピンチロール２３は、両面原稿の順次読み取り時に、フィードクラッチ(図示せず)がオフの状態でリトラクトされてニップが開放され、原稿をインバータパス(第４搬送路３４)へ導いている。その後、このインバータピンチロール２３はニップされ、インバータロール２２によってインバートする原稿をプレレジロール１７へ導き、また、反転排出する原稿を第６搬送路３６の第２排出ロール２４まで搬送している。
【００２３】
第１の読み取り部としてのスキャナ装置７０は、上述した原稿送り装置１０を備えることができると共に、この原稿送り装置１０を装置フレーム７１によって支え、また、原稿送り装置１０によって搬送された原稿の画像読み取りを行っている。このスキャナ装置７０は、筐体を形成する装置フレーム７１に、画像を読み込むべき原稿を静止させた状態で載置する第１プラテンガラス７２Ａ、原稿送り装置１０によって搬送中の原稿を読み取るための光の開口部を形成する第２プラテンガラス７２Ｂが設けられている。
【００２４】
また、スキャナ装置７０は、第２プラテンガラス７２Ｂの下に静止し、および第１プラテンガラス７２Ａの全体に亘ってスキャンして画像を読み込むフルレートキャリッジ７３、フルレートキャリッジ７３から得られた光を像結合部へ提供するハーフレートキャリッジ７５を備えている。フルレートキャリッジ７３には、原稿に光を照射する照明ランプ７４、原稿から得られた反射光を受光する第１ミラー７６Ａが備えられている。更に、ハーフレートキャリッジ７５には、第１ミラー７６Ａから得られた光を結像部へ提供する第２ミラー７６Ｂおよび第３ミラー７６Ｃが備えられている。更に、スキャナ装置７０は、第３ミラー７６Ｃから得られた光学像を光学的に縮小する結像用レンズ７７、結像用レンズ７７によって結像された光学像を光電変換するＣＣＤ(Charge Coupled Device)イメージセンサ７８、ＣＣＤイメージセンサ７８を備える駆動基板７９を備え、ＣＣＤイメージセンサ７８によって得られた画像信号は駆動基板７９を介して処理装置８０に送られる。
【００２５】
ここで、まず、第１プラテンガラス７２Ａに載置された原稿の画像を読み取る場合には、フルレートキャリッジ７３とハーフレートキャリッジ７５とが、２：１の割合でスキャン方向(矢印方向)に移動する。このとき、フルレートキャリッジ７３の照明ランプ７４の光が原稿の被読み取り面に照射されると共に、その原稿からの反射光が第１ミラー７６Ａ、第２ミラー７６Ｂ、および第３ミラー７６Ｃの順に反射されて結像用レンズ７７に導かれる。結像用レンズ７７に導かれた光は、ＣＣＤイメージセンサ７８の受光面に結像される。ＣＣＤイメージセンサ７８は１次元のセンサであり、１ライン分を同時に処理している。このライン方向(スキャンの主走査方向)の１ラインの読み取りが終了すると、主走査方向とは直交する方向(副走査方向)にフルレートキャリッジ７３を移動させ、原稿の次のラインを読み取る。これを原稿サイズ全体に亘って実行することで、１ページの原稿読み取りを完了させる。
【００２６】
一方、第２プラテンガラス７２Ｂは、例えば長尺の板状構造をなす透明なガラスプレートで構成される。原稿送り装置１０によって搬送される原稿がこの第２プラテンガラス７２Ｂの上を通過する。このとき、フルレートキャリッジ７３とハーフレートキャリッジ７５とは、図１に示す実線の位置に停止した状態にある。まず、原稿送り装置１０のプラテンロール１９を経た原稿の１ライン目の反射光が、第１ミラー７６Ａ、第２ミラー７６Ｂ、および第３ミラー７６Ｃを経て結像用レンズ７７にて結像され、本実施の形態における第１のセンサであるＣＣＤイメージセンサ７８によって画像が読み込まれる。即ち、１次元のセンサであるＣＣＤイメージセンサ７８によって主走査方向の１ライン分を同時に処理した後、原稿送り装置１０によって搬送される原稿の次の主走査方向の１ラインが読み込まれる。原稿の先端が第２プラテンガラス７２Ｂの読み取り位置に到達した後、原稿が第２プラテンガラス７２Ｂの読み取り位置を通過することによって、副走査方向に亘って１ページの読み取りが完了する。
【００２７】
本実施の形態では、フルレートキャリッジ７３とハーフレートキャリッジ７５とを停止させ、第２プラテンガラス７２ＢにてＣＣＤイメージセンサ７８により原稿の第１面の読み取りを行う原稿の搬送時に、同時(時間の完全一致ではなく、同一の原稿搬送時程度の意味) にＣＩＳ５０によって、原稿の第２面の読み取りを行うことが可能である。即ち、第１のイメージセンサであるＣＣＤイメージセンサ７８と第２のイメージセンサであるラインセンサ５４とを用いて、搬送路への原稿の一度の搬送で、この原稿における表裏両面の画像を読み取ることを可能としている。
【００２８】
図２は、ＣＩＳ５０を用いた読み取り構造を説明するための図である。図２に示すように、ＣＩＳ５０は、プラテンロール１９とアウトロール２０との間に設けられる。原稿の片面(第１面)は、第２プラテンガラス７２Ｂに押し当てられ、この第１面の画像はＣＣＤイメージセンサ７８にて読み込まれる。一方、ＣＩＳ５０では、原稿を搬送する搬送路を介して対向する他方の側から、片面(第２面)の画像が読み込まれる。このＣＩＳ５０は、カバーガラス５１と、このカバーガラス５１を透過して原稿の第２面に光を照射する光源としてのＬＥＤ(Light Emitting Diode)５２と、ＬＥＤ５２からの反射光を集光するレンズアレイであるセルフォックレンズ５３と、このセルフォックレンズ５３により集光された光を読み取るイメージセンサであるラインセンサ５４を備えている。ラインセンサ５４としては、ＣＣＤやＣＭＯＳセンサ、密着型センサ等を用いることができ、実寸幅(例えばＡ４長手幅２９７ｍｍ)の画像を読み取ることが可能である。ＣＩＳ５０では、縮小光学系を用いずに、セルフォックレンズ５３とラインセンサ５４を用いて画像の取り込みを行うことから、構造をシンプルにすることができ、且つ、筐体を小型化し、消費電力を低減することができる。また、ＬＥＤ５２は点光源であるＬＥＤ素子を複数並列に並べて構成されている。尚、本実施の形態では、ＣＩＳ５０が原稿をカラー画像として読み込めるようになっており、ＬＥＤ５２にＲ(赤)Ｇ(緑)Ｂ(青)の３色のＬＥＤ光源を組み合わせ、ラインセンサ５４としてＲＧＢ３色用の３列一組のセンサを用いている。
【００２９】
また、ＣＩＳ５０による画像読み取りに際して、この読み取り部を構成する搬送路に、ＣＩＳ５０の筐体から延びる制御部材５５、制御部材５５によって押し付けられた用紙を突き当てる案内部材としての突き当て部材６０を備えている。また、この突き当て部材６０の下流側には、ＣＩＳ５０と搬送路を挟んで揺動部材としての半月ロール６１が対向配置され、さらに半月ロール６１の下流側にはガイド部材６２が設けられている。制御部材５５、突き当て部材６０、半月ロール６１は、原稿の搬送路に直交する方向に(即ち、原稿送り装置の前面から後面の方向に)、原稿送り装置の前面から後面まで、搬送路の位置に対応して設けられている。
【００３０】
ここで、半月ロール６１は、例えばライトグレーに着色された円弧状の外周面６１ａを有しており、この外周面の端部には白基準部材６３が装着されている。この白基準部材６３も、原稿の搬送路に直交する方向に(即ち、原稿送り装置の前面から後面の方向に)、原稿送り装置の前面から後面まで、搬送路の位置に対応して設けられている。また、半月ロール６１は、軸を中心に揺動自在に取り付けられており、駆動部としてのソレノイド６４によって揺動せしめられるようになっている。なお、突き当て部材６０の半月ロール６１との対向部側には、半月ロール６１に揺動に伴って白基準部材６３と接触可能なブラシ６５が装着されている。このブラシ６５は、後述するように白基準部材６３の清掃部材として機能する。
【００３１】
ＣＩＳ５０は、光学結像レンズにセルフォックレンズ５３を採用していることから、焦点(被写界)深度が浅い。図３は、レンズ結像性能として焦点深度を説明するための図である。この図３には、本実施の形態におけるスキャナ装置７０等の縮小光学系を用いたレンズ深度(７.８Ｌｐ/ｍｍ)のＭＴＦ(Modulation Transfer Function)、およびセルフォックレンズ５３を用いたレンズ深度(６Ｌｐ/ｍｍ)のＭＴＦの一例が示されている。この「Ｌｐ/ｍｍ」は、１ｍｍの間に黒と白とのラダーパターンが幾つ存在するか、を示した値である。また、ＭＴＦは、被写体の持つ空間的な情報(コントラスト)を、低周波域(粗い稿目)から高周波域(細かい縞目)まで如何に忠実に再現するかを周波数特性で表したものである。図３の縦軸はＭＴＦ(％)を示し、横軸は、プラテンガラス上等のベストとなるピント位置から、１ｍｍずつ離した状態、１ｍｍずつ近付けた状態を示している。
【００３２】
例えば、原稿の読み取りに際してＭＴＦ２０％以上を目標とすると、本実施の形態におけるスキャナ装置７０を用いた場合には、±４ｍｍ程度でも一定のピントが合い、被写界深度を深くとることができる。一方、セルフォックレンズ５３を用いた場合には、ＭＴＦ２０％以上を目標とすると、被写界深度が±０.３ｍｍ程度と浅く、スキャナ装置７０を用いた場合に比べて約１/１３以下の深度となっている。即ち、本実施の形態におけるＣＩＳ５０による読み取りに際しては、原稿の読み取り位置を所定の狭い範囲内に定めることが要求される。
【００３３】
そこで、本実施の形態では、制御部材５５を設け、原稿を制御部材５５によって突き当て部材６０に押し当てて搬送し、プラテンロール１９とアウトロール２０との間にある原稿の姿勢を安定的に制御できるように構成した。図２の実線矢印に示す「用紙の動きＢ」は、制御部材５５が存在しない場合の用紙の動きを示したものであり、二点鎖線矢印に示す「用紙の動きＡ」は、制御部材５５を設けた場合の用紙の動きを示したものである。「用紙の動きＡ」では、原稿が突き当て部材６０に押し当てられて搬送されることが理解できる。即ち、制御部材５５によって搬送される原稿を突き当て部材６０および半月ロール６１に押し当てられた状態にて読み取ることで、被写界深度の浅いＣＩＳ５０を用いた場合のピントの甘さを改善している。
【００３４】
次に、図１に示す処理装置８０について説明する。
図４は、処理装置８０を説明するためのブロック図である。本実施の形態が適用される処理装置８０は、大きく、センサ(ＣＣＤイメージセンサ７８およびＣＩＳ５０)から得られた画像情報を処理する信号処理部８１と、原稿送り装置１０およびスキャナ装置７０を制御する制御部９０とを備えている。信号処理部８１は、アナログ信号の処理を行うＡＦＥ(Analog Front End)８２、アナログ信号をディジタル信号に変換するＡＤＣ(Analog to Digital Converter)８３、ディジタル信号に対してシェーディング補正やオフセット補正等の各種処理を施すディジタル処理部８４を備え、ディジタル処理部８４により処理されたディジタル信号は、ホストシステムへ出力され、例えば、プリンタへ画像情報として出力される。
【００３５】
一方、制御部９０は、各種両面読み取りの制御や片面読み取りの制御等を含め、原稿送り装置１０およびスキャナ装置７０の全体を制御する画像読み取りコントロール９１、第１のセンサであるＣＣＤイメージセンサ７８およびＣＩＳ５０を制御するＣＣＤ/ＣＩＳコントロール９２、読み取りタイミングに合わせてＣＩＳ５０のＬＥＤ５２やフルレートキャリッジ７３の照明ランプ７４を制御するランプコントロール９３、スキャナ装置７０におけるモータや上述したソレノイド６４のオン/オフなどを行いフルレートキャリッジ７３とハーフレートキャリッジ７５とのスキャン動作を制御するスキャンコントロール９４、原稿送り装置１０におけるモータの制御、各種ロールの動作やフィードクラッチの動作、ゲートの切り替え動作等を制御する搬送機構コントロール９５を備えている。これらの各種コントロールからは、原稿送り装置１０およびスキャナ装置７０に対して制御信号が出力され、かかる制御信号に基づいて、これらの動作制御が可能となる。画像読み取りコントロール９１は、ホストシステムからの制御信号や、例えば自動選択読み取り機能に際して検出されるセンサ出力、ユーザからの選択等に基づいて、読み取りモードを設定し、原稿送り装置１０およびスキャナ装置７０を制御している。
【００３６】
ここで、本実施の形態では、原稿送り装置１０による原稿搬送によって画像を読み取る際、第２プラテンガラス７２Ｂを介してプラテンロール１９に搬送される原稿をスキャナ装置７０(ＣＣＤイメージセンサ７８)を用いて読み取ることが可能であると共に、原稿送り装置１０に設けられたＣＩＳ５０を用いて読み取ることが可能である。しかしながら、前述のように、スキャナ装置７０の機構を用いたＣＣＤイメージセンサ７８による読み取りと、ＣＩＳ５０のセルフォックレンズ５３を用いた読み取りの場合とでは、その焦点深度の深さが異なり、解像特性に差が生じてしまう。特に、写真等のカラー画像を読み込む場合には、両者の読み込みにて色合わせが困難となり、両者の読み込みにて得られる画質が異なってしまう。そこで、本実施の形態では、複数の読み取りモードを準備し、装置の設定状態、原稿の種類、ユーザの選択等に基づいて、最適なモードの選択を可能としている。
【００３７】
図５は、図４に示す画像読み取りコントロール９１によって実行される処理の一例を示したフローチャートである。画像読み取りコントロール９１では、まず、搬送される原稿が片面原稿か否かが判断される(ステップ１０１)。この判断は、例えば、スキャナ装置７０上に設けられたコントロールパネル(図示せず)を用いたユーザからの選択や、例えば自動選択読み取り機能が働いている場合には、画像読み込み前の第１搬送路３１上の搬送路両側に設けられたセンサ(図示せず)等によって認識することができる。また、ホストシステムからの要請や、ネットワーク等を介したユーザからの選択なども考えられる。このステップ１０１で片面原稿であると判断される場合には、１パス(反転パスを用いない１回だけの原稿搬送パス)による片面読み取りが行われる(ステップ１０２)。この１パスによる片面読み取りでは、ＣＣＤイメージセンサ７８による読み取りとＣＩＳ５０による読み取りとをどちらを選択しても良いが、より高画質な画像読み取りを実現する場合には、ＣＣＤイメージセンサ７８による読み取りを選択することが好ましい。かかる際には、原稿トレイ１１上に、上向きに片面の原稿部分が存在すると共に原稿の１ページ目が上に来るように載置し、この１ページ目から原稿を搬送して順に読み取られる。
【００３８】
ここで、ステップ１０１で片面原稿ではない場合、即ち、両面原稿である場合には、原稿が白・黒原稿であるか否かが判断される(ステップ１０３)。このステップ１０３の判断は、ステップ１０１と同様に、ユーザからの選択または自動選択読み取り機能によって判断される。カラー原稿であってもユーザが白・黒読み取りを望む場合もある。白・黒読み取りを行わない場合、即ち、カラー読み取りを行う場合には、画質が重視されるか否かが判断される(ステップ１０４)。例えば、カラー写真やパンフレット等のカラー画像の場合には、一般に、読み取り速度を上げる生産性よりも画質が重視される。かかる判断もユーザの設定等によってなされる。このステップ１０４で画質を重視すると判断される場合には、第１の両面読み取りモードである、反転パスによる両面読み取りが実行される(ステップ１０５)。即ち、ＣＩＳ５０による読み取りを行わず、原稿の第１面および原稿の第２面を共に第１のセンサであるＣＣＤイメージセンサ７８によって読み取るのである。これによって、原稿の第１面および原稿の第２面に対し、共に、焦点深度の深い読み取り手段を用いた高画質な両面読み取りが可能となる。
【００３９】
一方、ステップ１０３で白・黒読み取りを行う場合、または、ステップ１０４で、カラー画像出力を必要とする場合であっても、例えばビジネスカラー等の微妙な色合い等が重視されない場合や、プラス１カラーの場合(黒以外に赤や青等、他の１色のカラーを含む場合)など、画質をあまり重視せず、生産性等の他の要因が重視される場合には、第２の両面読み取りモードである、反転パスを用いない、１パスによる両面同時読み取りが行われる(ステップ１０６)。即ち、第１のセンサであるＣＣＤイメージセンサ７８によって第１面を読み取り、この読み取りの搬送パスに際して、同じ搬送パスにてＣＩＳ５０による第２面の読み取りが行われる。これによって、同一の読み取り部へ原稿を２度、搬送する必要がなく、原稿読み取りスピードを向上させることができると共に、搬送パスが簡潔化されることで、原稿詰まり(ＪＡＭ)等の原稿搬送トラブルを抑制することができる。尚、前述したように、「同時読み取り」とは、必ずしも時間的に一致する場合を意味するものではなく、両面を１回のパスにてほぼ同時期に読み取るという意味である。
【００４０】
尚、図５に示す処理フローを簡潔化し、両面原稿読み取りにおいて、白黒原稿の読み取りの場合には、ステップ１０６の両面同時読み取りを実行し、カラー原稿の場合には、ステップ１０５の反転パスによって順次、原稿を読み取るように構成することも可能である。また、原稿面の種類に応じて、これらのモードをミックスして用いることもできる。
【００４１】
次に、各原稿読み取りモードにおける原稿の搬送方法について、図６および図７を用いて説明する。
図６(ａ),(ｂ)は、図５のステップ１０２に示した１パスによる片面読み取りモードと、ステップ１０６に示した１パスによる両面同時読み取りである第２の両面読み取りモードの原稿パスを示した図である。図６(ａ)に示すように、原稿トレイ１１に載置された原稿は、ナジャーロール１３、フィードロール１４およびリタードロール１５、テイクアウェイロール１６によって、第１搬送路３１に順次、供給される。供給された原稿は、図６(ｂ)に示すように、プラテンロール１９の読み取り部およびＣＩＳ５０の読み取り部を経由して、搬送路切替ゲート４２によって第２搬送路３２に移動し、排出トレイ４０に、順次、排出される。片面読み取りの場合には、プラテンロール１９の箇所にて、下方から、図１に示すスキャナ装置７０のＣＣＤイメージセンサ７８を用いた読み取りがなされる。但し、前述のように、ＣＩＳ５０を用いた片面読み取りも可能である。また、１パスによる両面同時読み取りの場合には、スキャナ装置７０のＣＣＤイメージセンサ７８を用いて第１面を読み取り、同一搬送時にＣＩＳ５０を用いて第２面を読み取る。これによって、１回の原稿パスによって両面の原稿読み取りを行うことが可能となる。
【００４２】
図７(ａ)〜(ｄ)は、図５のステップ１０５に示した反転パスによる両面読み取り、即ち、第１の両面読み取りモードを説明するための図である。図７(ａ)に示すように、原稿トレイ１１に載置された原稿は、第１搬送路３１に順次、供給され、図１に示すスキャナ装置７０のＣＣＤイメージセンサ７８を用いて、プラテンロール１９の箇所にて下方から読み取りがなされる。そして、搬送路切替ゲート４２によって第３搬送路３３を経由し、第４搬送路３４へ移動する。第３搬送路３３を完全に抜けた原稿は、図７(ｂ)に示すように、インバータロール２２およびインバータピンチロール２３によってスイッチバックし、第５搬送路３５に供給される。
【００４３】
第５搬送路３５に供給された原稿は、再度、第１搬送路３１に供給される。そして、図７(ｃ)に示すように、原稿がスキャナ装置７０のＣＣＤイメージセンサ７８によって下方から読み取られる。このとき、原稿は、図７(ａ)に示す場合とは表裏が反転した状態にあり、第１面とは表裏を異ならせる第２面が読み取られることとなる。第２面が読み取られた原稿は、表裏が反転された状態にあり、そのまま排出トレイ４０に排出すると積載された読み取り後の原稿のページ順が狂うことになる。そこで、図７(ｃ)に示すように、第２面の読み取りが完了した原稿を搬送路切替ゲート４２を用いて第３搬送路３３を経由させ、第４搬送路３４に移動する。第４搬送路３４に供給され、出口切替ゲート４３の部分を完全に通過した原稿は、図７(ｄ)に示すように出口切替ゲート４３によって第６搬送路３６を経由し排出トレイ４０に排出される。これによって、原稿における表裏両面の画像を順次、読み取る第１の両面読み取りモードにおいて、読み取り後の原稿のページ順を揃えることが可能となる。
【００４４】
次に、半月ロール６１が配設される位置およびその動作について詳細に説明する。
図８は、半月ロール６１およびＣＩＳ５０近傍の拡大図を示している。なお、図８は、原稿の読み取り動作時における半月ロール６１の配置状態を示している。このとき、半月ロール６１は、ソレノイド６４(図２参照)によって、その外周面６１ａがＣＩＳ５０による読み取り位置Ｒと対向するように配置される。一方、半月ロール６１の外周面６１ａに取り付けられた白基準部材６３は搬送経路から待避した位置にある。そして、本実施の形態では、半月ロール６１の揺動中心Ｘが、ＣＩＳ５０による原稿の読み取り位置Ｒに対して原稿搬送方向上流側にオフセットして配設されている。これにより、原稿の読み取り位置Ｒは、半月ロール６１の外周面６１ａのうち搬送経路側に最も突出する頭頂位置Ｃよりも原稿搬送方向下流側に位置することになる。ここで、原稿の読み取り位置Ｒは、ＣＩＳ５０に設けられたセルフォックレンズ５３のピント位置(焦点位置)であり、原稿の搬送方向だけでなく、セルフォックレンズ５３を通る光の光軸方向にも一義的に決定される。
【００４５】
そして、本実施の形態では、半月ロール６１の半径(揺動中心Ｘと外周面６１ａとの距離)が２５ｍｍに設定されている。また、半月ロール６１の揺動中心Ｘと頭頂位置Ｃとを通る線αと、原稿の読み取り位置Ｒを通る光軸の延長線βとの距離Ｄは２.１ｍｍに設定されている。さらに、半月ロール６１の揺動中心Ｘと頭頂位置Ｃとを通る線αと、半月ロール６１の揺動中心Ｘと原稿の読み取り位置Ｒとを通る線γとの成す角度θは８５°に設定される。その結果、原稿の読み取り位置Ｒを通る光軸の延長線β上における原稿の読み取り位置Ｒと半月ロール６１の外周面６１ａとのギャップＧは０.１ｍｍとなる。
【００４６】
また、本実施の形態では、突き当て部材６０近傍の搬送経路が湾曲しており、原稿は、湾曲した状態で搬送されるようになっている。そして、ＣＩＳ５０は湾曲して搬送される原稿の内側に、突き当て部材６０および半月ロール６１は湾曲して搬送される原稿の外側に配設されている。また、上述したように、ＣＩＳ５０には搬送経路側に制御部材５５が取り付けられている。このため、搬送されてくる原稿は、突き当て部材６０に接触した状態、別の観点から見れば、ＣＩＳ５０に設けられたカバーガラス５１から離間した状態で搬送されていく。したがって、カバーガラス５１に原稿の汚れが付着したり、カバーガラス５１が原稿によってこすられて傷ついたりするといった事態は生じない。
【００４７】
そして、実際に原稿の読み取り動作を行う場合には、突き当て部材６０に突き当てながら搬送される原稿が、用紙の動きＡで示すように、半月ロール６１の外周面６１ａの頭頂位置Ｃには接触する一方、原稿の読み取り位置Ｒでは半月ロール６１の外周面６１ａからは離間した状態(浮いた状態)で搬送されていくこととなる。ここで、頭頂位置Ｃは搬送される原稿によって擦られるため、頭頂位置Ｃに対応する外周面６１ａが、原稿に付着した埃やトナー、ボールペンのインクや修正液などの付着によって汚されたり、傷つけられたりするおそれがあるが、原稿の読み取り位置Ｒに対応する半月ロール６１の外周面６１ａには原稿が接しないため、このような汚れの付着は生じ得ない。したがって、本実施の形態では、ＣＩＳ５０によって原稿の読み取りを行う場合に、半月ロール６１を用いることで原稿の読み取り位置Ｒにおいて原稿を浮かせておくことができ、原稿の読み取り面の裏面側に配設される部材に付着した汚れに起因する裏写りを防止することができる。なお、本実施の形態では、半月ロール６１の外周面６１ａをライトグレーに着色しているが、例えばブラックに着色すれば、原稿の読み取り面の裏面側に形成される画像に起因する裏写りを防止することも可能である。
【００４８】
一方、図９は、シェーディングデータの取得動作時における半月ロール６１の配置状態を示している。シェーディングデータの取得動作時には、ソレノイド６４(図２参照)によって半月ロール６１が図中右回りに約９０°回転し、半月ロール６１の外周面６１ａに形成された白基準部材６３がＣＩＳ５０による読み取り位置Ｒと対向するように配置(進出)される。特に、本実施の形態では、白基準部材６３の白基準面６３ａが、用紙の動きＡに示す原稿面と同じ高さとなるように、つまり、白基準面６３ａと原稿の読み取り位置Ｒとが一致するようになっている。これにより、本実施の形態では、ＣＩＳ５０による原稿の読み取り位置Ｒでシェーディングデータを取得すること、すなわち、原稿の画像を読み取る場合と同じ条件下でシェーディングデータを取得することができる。また、白基準部材６３は原稿が搬送されないシェーディングデータの取得動作時にのみ搬送経路に露出するので、白基準部材６３の白基準面６３ａが原稿によって汚されたり傷つけられたりするような事態も生じない。さらに、白基準面６３ａの読み取り位置と搬送されてくる原稿の読み取り位置を略一致させることができるため、読み取り画像がぼやけることもない。なお、シェーディングデータが取得された後は、ソレノイド６４(図２参照)によって半月ロール６１が図中左回りに約９０°回転し、図８に示す状態へと戻る。
【００４９】
また、本実施の形態では、突き当て部材６０に清掃部材としてのブラシ６５が設けられており、半月ロール６１の揺動に伴って、半月ロール６１に設けられた白基準部材６３の白基準面６３ａがブラシ６５によってクリーニングされる。これにより、白基準部材６３の白基準面６３ａを常時きれいな状態に維持することができ、ＣＩＳ５０で白基準部材６３の白基準面６３ａを読み取ることで取得されるシェーディングデータを長期にわたって良好なものとすることができる。
【００５０】
―実施の形態２―  
本実施の形態は、実施の形態１と略同様であるが、直線的に白基準部材を移動させるようにしたものである。なお、本実施の形態において、実施の形態１と同様のものについては、同じ符号を付してその詳細な説明を省略する。
図１０は、ＣＩＳ５０を用いた読み取り構造を説明するための図である。本実施の形態では、実施の形態１で用いた半月ロール６１に代えて、ＣＩＳ５０と対向する位置にスライド部材１００が配置されている。
【００５１】
ここで、スライド部材１００は、例えばライトグレーに着色された円弧状の外周面としての湾曲面１０１ａを有する本体部１０１と、この本体部１０１のガイド部材６２側の側部に取り付けられる基部１０２と、この基部１０２の上部に取り付けられる白基準部材１０３とを備えている。この白基準部材１０３も、原稿の搬送路に直交する方向に(即ち、原稿送り装置の前面から後面の方向に)、原稿送り装置の前面から後面まで、搬送路の位置に対応して設けられている。また、スライド部材１００図中矢印方向にスライド自在に取り付けられており、駆動部としてのソレノイド１０４によって移動せしめられるようになっている。
【００５２】
図１１は、原稿の読み取り動作時におけるスライド部材１００の配置状態を示している。このとき、スライド部材１００は、ソレノイド１０４(図１０参照)によって、本体部１０１の湾曲面１０１ａがＣＩＳ５０による読み取り位置Ｒと対向するように配置される。また、本実施の形態においても、原稿の読み取り位置Ｒが、スライド部材１００の湾曲面１０１ａのうち搬送路に最も突出する頭頂位置Ｃよりも原稿搬送方向下流側に位置している。
【００５３】
そして、実際に原稿の読み取り動作を行う場合には、突き当て部材６０に突き当てながら搬送される原稿が、用紙の動きＡに示すように、スライド部材１００の本体部１０１に形成された湾曲面１０１ａの頭頂位置Ｃには接触する一方、原稿の読み取り位置Ｒではスライド部材１００の本体部１０１に形成された湾曲面１０１ａからは離間した状態(浮いた状態)で搬送されていくこととなる。実施の形態１と同様、頭頂位置Ｃは搬送される原稿によって擦られるため、頭頂部位Ｃに対応する湾曲面１０１ａが、原稿に付着した埃やトナー、ボールペンのインクや修正液などの付着によって汚されたり、傷つけられたりするおそれがあるが、原稿の読み取り位置Ｒに対応する湾曲面１０１ａには原稿が接しないため、このような汚れの付着は生じ得ない。したがって、本実施の形態では、ＣＩＳ５０によって原稿の読み取りを行う場合に、スライド部材１００を用いて原稿の読み取り位置Ｒにおいて原稿を浮かせておくことにより、原稿の読み取り面の裏面側に配設される部材に付着した汚れに起因する裏写りを防止することができる。なお、本実施の形態では、スライド部材１００の湾曲面１０１ａをライトグレーに着色しているが、実施の形態１と同様、例えばブラックに着色すれば、原稿の読み取り面の裏面側に形成される画像に起因する裏写りを防止することも可能である。
【００５４】
一方、図１２は、シェーディングデータの取得動作時におけるスライド部材１００の配置状態を示している。シェーディングデータの取得動作時には、ソレノイド１０４(図１０参照)によってスライド部材１００が突き当て部材６０側にスライド移動し、スライド部材１００の基部１０２上に形成された白基準部材１０３の白基準面１０３ａがＣＩＳ５０による読み取り位置Ｒと対向するように配置(進出)される。特に、本実施の形態では、実施の形態１と同様、白基準部材１０３の白基準面１０３ａが、用紙の動きＡに示す原稿面と同じ高さとなるように、つまり、白基準面１０３ａと原稿の読み取り位置Ｒとが一致するように設定されている。これにより、本実施の形態では、ＣＩＳ５０による原稿の読み取り位置Ｒでシェーディングデータを取得すること、すなわち、原稿の画像を読み取る場合と同じ条件下でシェーディングデータを取得することができる。また、白基準部材１０３は原稿が搬送されないシェーディングデータの取得動作時にのみ搬送路に露出し、それ以外の場合にはガイド部材６２によって搬送経路から隠されるため、白基準部材１０３の白基準面１０３ａが原稿によって汚されたり傷つけられたりするような事態も生じない。さらに、白基準面１０３ａの読み取り位置と搬送されてくる原稿の読み取り位置を略一致させることができるため、読み取り画像がぼやけることもない。なお、シェーディングデータが取得された後は、ソレノイド１０４(図１０参照)によってスライド部材１００がガイド部材６２側にスライド移動し、図１１に示す状態へと戻る。
【００５５】
なお、本実施の形態において、例えばガイド部材６２の白基準部材１０３との対向部にブラシ等を設けるようにすれば、実施の形態１と同様に、白基準部材１０３の白基準面１０３ａをクリーニングすることができる。この場合には、白基準部材１０３の白基準面１０３ａを常時きれいな状態に維持することができ、ＣＩＳ５０で白基準部材１０３の白基準面１０３ａを読み取ることで取得されるシェーディングデータを良好なものとすることができる。
【図面の簡単な説明】
【００５６】
【図１】本実施の形態が適用される画像読み取り装置を示した図である。
【図２】実施の形態１において、ＣＩＳを用いた読み取り構造を説明するための図である。
【図３】レンズ結像性能として焦点深度を説明するための図である。
【図４】処理装置を説明するためのブロック図である。
【図５】画像読み取りコントロールによって実行される処理の一例を示したフローチャートである。
【図６】(ａ),(ｂ)は、１パスによる片面読み取りモードと、１パスによる両面同時読み取りである第２の両面読み取りモードの原稿パスを説明するための図である。
【図７】(ａ)〜(ｄ)は、反転パスによる両面読み取りを説明するための図である。
【図８】原稿の読み取り動作時における半月ロールの配置状態を示す図である。
【図９】シェーディングデータの取得動作時における半月ロールの配置状態を示す図である。
【図１０】実施の形態２において、ＣＩＳを用いた読み取り構造を説明するための図である。
【図１１】原稿の読み取り動作時におけるスライド部材の配置状態を示す図である。
【図１２】シェーディングデータの取得動作時におけるスライド部材の配置状態を示す図である。
【符号の説明】
【００５７】
１０…原稿送り装置、１１…原稿トレイ、１３…ナジャーロール、１９…プラテンロール、２０…アウトロール、２２…インバータロール、２３…インバータピンチロール、３１…第１搬送路、３２…第２搬送路、３３…第３搬送路、３４…第４搬送路、３５…第５搬送路、３６…第６搬送路、４０…排出トレイ、４１…バッフル、４２…搬送路切替ゲート、４３…出口切替ゲート、５０…ＣＩＳ(Contact Image Sensor)、５１…カバーガラス、５２…ＬＥＤ(Light Emitting Diode)、５３…セルフォックレンズ、５４…ラインセンサ、５５…制御部材、６０…突き当て部材、６１…半月ロール、６２…ガイド部材、６３…白基準部材、６４…ソレノイド、６５…ブラシ、７０…スキャナ装置、７２Ａ…第１プラテンガラス、７２Ｂ…第２プラテンガラス、７３…フルレートキャリッジ、７４…照明ランプ、７５…ハーフレートキャリッジ、７６Ａ…第１ミラー、７６Ｂ…第２ミラー、７６Ｃ…第３ミラー、７７…結像用レンズ、７８…ＣＣＤ(Charge Coupled Device)イメージセンサ、８０…処理装置、８１…信号処理部、９０…制御部、１００…スライド部材、１０１…本体部、１０１ａ…湾曲面、１０２…基部、１０３…白基準部材、１０３ａ…白基準面、１０４…ソレノイド
【図１】
2005167846.tif 000003
【図２】
2005167846.tif 000004
【図３】
2005167846.tif 000005
【図４】
2005167846.tif 000006
【図５】
2005167846.tif 000007
【図６】
2005167846.tif 000008
【図７】
2005167846.tif 000009
【図８】
2005167846.tif 000010
【図９】
2005167846.tif 000011
【図１０】
2005167846.tif 000012
【図１１】
2005167846.tif 000013
【図１２】
2005167846.tif 000014